(57)【要約】【課題】液晶パララックスバリアをより安価に製造する。【解決手段】液晶パララックスバリアパネルは、電極基板２１０、液晶層、及び封止基板が順に重ねられた構造であり、電極基板２１０は、ガラス基板と、複数の段階で分岐した第１電極２１１と、第１電極２１１と同一層に配置され、複数の段階で分岐した第２電極２１２と、配向膜とを有している。表示領域２１５において、第１電極２１１及び第２電極２１２のうち一方の電極の分岐の末端を有する枝部は、他方の電極の前記分岐の末端を有する２つの枝部の間に入るように、交互に配置されている。第１電極２１１及び第２電極２１２は、パララックスバリアのスリットを形成しないときには、同一の電圧を有しており、パララックスバリアのスリットを形成するときには、第１電極２１１に所定の電圧が印加される。【選択図】図３
2014132347.tif 000002
【特許請求の範囲】
【請求項１】
液晶分子の配向を制御することにより、３次元表示を行うためのパララックスバリアを形成する液晶パララックスバリアであって、
互いに平行に設置された第１の基板及び第２の基板と、
前記第１の基板と前記第２の基板との間に封止された液晶と、
前記第１の基板に配置された複数の電極と、を備え、
前記第２の基板には、電極が形成されず、
前記複数の電極は、第１電極と第２電極とを含み、
前記第１電極は分岐し、前記分岐の末端を有する複数の第１の枝部を有し、
前記第１電極と前記第２電極とに、互いに異なる電圧が印加されることにより生ずる電界によって、前記液晶を配向させパララックスバリアを形成する、ことを特徴とする液晶パララックスバリア。
【請求項２】
前記第１電極と前記第２電極とは、同一平面上に形成され、
前記第２電極の各々は、分岐し、前記分岐の末端を有する複数の第２の枝部を有し、
前記第１の枝部の各々が２つの前記第２の枝部の間に入るように、交互に配置される、ことを特徴とする請求項１に記載の液晶パララックスバリア。
【請求項３】
前記第１の枝部の各々が互いに隣接する２つの前記第２の枝部の間に入るように、交互に配置される、ことを特徴とする請求項２に記載の液晶パララックスバリア。
【請求項４】
前記第１の枝部と前記第２の枝部は屈曲している、ことを特徴とする請求項２又は請求項３に記載の液晶パララックスバリア。
【請求項５】
前記第２電極は、前記第１電極と異なる平面上に形成されると共に、矩形の平面を有し、
前記第１の枝部は、前記矩形の平面の一辺が延びる方向に、前記矩形の平面を横切って延びている、ことを特徴とする請求項１に記載の液晶パララックスバリア。
【請求項６】
分岐し、前記分岐の末端を有する複数の第３の枝部を有する第３電極を備え、
前記第１電極、前記第２電極、及び前記第３電極は、互いに異なる平面上に形成され、
前記第２電極は矩形の平面を有し、
前記第１の枝部は、前記矩形の平面の第１辺が延びる第１の方向に、前記矩形の平面を横切って延び、
前記第３の枝部は、前記第１の方向と交差する第２の方向に、矩形の平面を横切って延びている、ことを特徴とする請求項１に記載の液晶パララックスバリア。
【請求項７】
前記第１電極には第１の電位が印加され、且つ前記第２電極には前記第１の電位とは異なる第２の電位が印加されることによって第１のパララックスバリアを形成し、
前記第３電極には前記第２の電位とは異なる第３の電位が印加され、且つ前記第２電極には前記第２の電位が印加されることによって第２のパララックスバリアを形成し、
第１のパララックスバリアの形成と前記第２のパララックスバリアの形成とは、切り替え可能なことを特徴とする請求項８に記載の液晶パララックスバリア。
【請求項８】
前記第１電極と同一平面上に形成された第３電極と、前記第２電極と同一平面上に形成された第４電極と、を備え、
前記第１電極及び前記第３電極は、前記第２電極及び前記第４電極とは異なる平面状に形成され、
前記第２電極は分岐し、前記分岐の末端を有すると共に前記第１の枝部が延びる方向とは異なる方向に延びる複数の第２の枝部を有し、
前記第３電極は分岐し、前記分岐の末端を有すると共に前記第１の枝部が延びる方向と平行で、異なる向きに延びる複数の第３の枝部を有し、
前記第４電極は分岐し、前記分岐の末端を有すると共に前記第２の枝部が延びる方向と平行で、異なる向きに延びる複数の第４の枝部を有し、
前記第１の枝部は、２つの前記第３の枝部の間に入るように延び、
前記第２の枝部は、２つの前記第４の枝部の間に入るように延び、
前記第１電極及び前記第２電極のうち、一方の電極の前記分岐の末端を有する枝部は、他方の電極の前記分岐の末端を有する２つの枝部の間に入るように延びている、ことを特徴とする請求項１に記載の液晶パララックスバリア。
【請求項９】
前記第１電極には第１の電位が印加され、且つ前記第２電極と前記第４電極とには前記第１の電位とは異なる第２の電位が印加されることによって第１のパララックスバリアを形成し、
前記第２電極には第３の電位が印加され、且つ前記第１電極と前記第３電極とには前記第３の電位とは異なる第４の電位が印加されることによって第２のパララックスバリアを形成し、
第１のパララックスバリアの形成と前記第２のパララックスバリアの形成とは、切り替え可能なことを特徴とする請求項８に記載の液晶パララックスバリア。
【請求項１０】
請求項１から９のいずれか一項に記載の液晶パララックスバリアと、前記液晶パララックスバリアと平行に表示面が配置された表示部と、を備える表示装置。
【請求項１１】
請求項１から９のいずれか一項に記載の液晶パララックスバリアと、前記液晶パララックスバリアと平行に配置された液晶パネルと、前記液晶パネル及び前記液晶パララックスバリアに対して光を照射するバックライトと、を備える液晶表示装置。
【発明の詳細な説明】
【技術分野】
【０００１】
本発明は、液晶パララックスバリア、表示装置及び液晶表示装置に係り、より詳しくは、液晶分子の配向を制御することにより、３次元表示を行うためのパララックスバリアを形成する液晶パララックスバリア、その液晶パララックスバリアを利用した表示装置及び液晶表示装置に関する。
【背景技術】
【０００２】
従来から、メガネを使用しない３次元画像の表示方式のひとつとして、パララックスバリア方式が知られている。パララックスバリア方式とは、パララックスバリアと呼ばれる、複数の縦方向の細かいスリットが入った板の後方に、右眼からの視野の画像と、左眼からの視野の画像とを縦に短冊状に切り取って交互に並べた画像を設置し、その画像をパララックスバリアを介して観察することにより、３次元の画像を表示する方式である。
【０００３】
特許文献１には、このパララックスバリアを液晶を用いた装置（以下、「液晶パララックスバリア」という。）により構成することにより、２次元画像及び３次元画像の両方を表示可能とした液晶表示装置が開示されている。
【先行技術文献】
【特許文献】
【０００４】
【特許文献１】特開平３−１１９８８９号公報
【発明の概要】
【発明が解決しようとする課題】
【０００５】
特許文献１の表示装置のような、２次元画像と３次元画像とを一の表示装置により表示可能とした表示装置は有用ではあるが、このような表示装置においても、３次元画像が表示される機会よりも、２次元画像が表示される機会が極めて多いため、３次元画像の表示機能を有する表示装置を特に望まない利用者も多い。しかしながら、より多くの機会に３次元画像が利用されるには、このような２次元画像と３次元画像とを一の表示装置により表示可能とした表示装置がより多くの利用者に利用されている必要があり、３次元画像の利用機会を多くするためにも、より安価にこのような表示装置が提供されることが望まれている。
【０００６】
本発明は上述の事情に鑑みてされたものであり、液晶パララックスバリアをより安価に製造することを目的とする。
【課題を解決するための手段】
【０００７】
本発明の液晶パララックスバリアは、液晶分子の配向を制御することにより、３次元表示を行うためのパララックスバリアを形成する液晶パララックスバリアであって、互いに平行に設置された第１の基板及び第２の基板と、前記第１の基板と前記第２の基板との間に封止された液晶と、前記第１の基板に配置された複数の電極と、を備え、前記第２の基板には、電極が形成されず、前記複数の電極は、第１電極と第２電極とを含み、前記第１電極は分岐し、前記分岐の末端を有する複数の第１の枝部を有し、前記第１電極と前記第２電極とに、互いに異なる電圧が印加されることにより生ずる電界によって、前記液晶を配向させパララックスバリアを形成する、ことを特徴とする液晶パララックスバリアである。
【０００８】
また、本発明の液晶パララックスバリアにおいて、前記第１電極と前記第２電極とは、同一平面上に形成され、前記第２電極の各々は、分岐し、前記分岐の末端を有する複数の第２の枝部を有し、前記第１の枝部の各々が２つの前記第２の枝部の間に入るように、交互に配置されていてもよい。
【０００９】
また、本発明の液晶パララックスバリアにおいて、前記第１の枝部の各々が互いに隣接する２つの前記第２の枝部の間に入るように、交互に配置されていてもよい。
【００１０】
また、本発明の液晶パララックスバリアにおいて、前記第１の枝部と前記第２の枝部は屈曲していてもよい。
【００１１】
また、本発明の液晶パララックスバリアにおいて、前記第２電極は、前記第１電極と異なる平面上に形成されると共に、矩形の平面を有し、前記第１の枝部は、前記矩形の平面の一辺が延びる方向に、前記矩形の平面を横切って延びていてもよい。
【００１２】
また、本発明の液晶パララックスバリアにおいて、分岐し、前記分岐の末端を有する複数の第３の枝部を有する第３電極を備え、前記第１電極、前記第２電極、及び前記第３電極は、互いに異なる平面上に形成され、前記第２電極は矩形の平面を有し、前記第１の枝部は、前記矩形の平面の第１辺が延びる第１の方向に、前記矩形の平面を横切って延び、前記第３の枝部は、前記第１の方向と交差する第２の方向に、矩形の平面を横切って延びていてもよい。
【００１３】
また、本発明の液晶パララックスバリアにおいて、前記第１電極には第１の電位が印加され、且つ前記第２電極には前記第１の電位とは異なる第２の電位が印加されることによって第１のパララックスバリアを形成し、前記第３電極には前記第２の電位とは異なる第３の電位が印加され、且つ前記第２電極には前記第２の電位が印加されることによって第２のパララックスバリアを形成し、第１のパララックスバリアの形成と前記第２のパララックスバリアの形成とは、切り替え可能であってもよい。
【００１４】
また、本発明の液晶パララックスバリアにおいて、前記第１電極と同一平面上に形成された第３電極と、前記第２電極と同一平面上に形成された第４電極と、を備え、前記第１電極及び前記第３電極は、前記第２電極及び前記第４電極とは異なる平面状に形成され、前記第２電極は分岐し、前記分岐の末端を有すると共に前記第１の枝部が延びる方向とは異なる方向に延びる複数の第２の枝部を有し、前記第３電極は分岐し、前記分岐の末端を有すると共に前記第１の枝部が延びる方向と平行で、異なる向きに延びる複数の第３の枝部を有し、前記第４電極は分岐し、前記分岐の末端を有すると共に前記第２の枝部が延びる方向と平行で、異なる向きに延びる複数の第４の枝部を有し、前記第１の枝部は、２つの前記第３の枝部の間に入るように延び、前記第２の枝部は、２つの前記第４の枝部の間に入るように延び、前記第１電極及び前記第２電極のうち、一方の電極の前記分岐の末端を有する枝部は、他方の電極の前記分岐の末端を有する２つの枝部の間に入るように延びていてもよい。
【００１５】
また、本発明の液晶パララックスバリアにおいて、前記第１電極には第１の電位が印加され、且つ前記第２電極と前記第４電極とには前記第１の電位とは異なる第２の電位が印加されることによって第１のパララックスバリアを形成し、前記第２電極には第３の電位が印加され、且つ前記第１電極と前記第３電極とには前記第３の電位とは異なる第４の電位が印加されることによって第２のパララックスバリアを形成し、第１のパララックスバリアの形成と前記第２のパララックスバリアの形成とは、切り替え可能であってもよい。
【００１６】
本発明の表示装置は、上述に記載の液晶パララックスバリアのうちのいずれかの液晶パララックスバリアと、前記液晶パララックスバリアと平行に表示面が配置された表示部と、を備える表示装置である。
【００１７】
また、本発明の液晶表示装置は、上述に記載の液晶パララックスバリアのうちのいずれかの液晶パララックスバリアと、前記液晶パララックスバリアと平行に配置された液晶パネルと、前記液晶パネル及び前記液晶パララックスバリアに対して光を照射するバックライトと、を備える液晶表示装置である。
【００１８】
本発明の液晶パララックスバリアは、液晶分子の配向を制御することにより、３次元表示を行うためのパララックスバリアを形成する液晶パララックスバリアであって、互いに平行に設置された２つのガラス基板と、前記２つのガラス基板の間に封止された液晶と、前記液晶の分子配向を制御するための複数の電極と、を備え、前記複数の電極は、前記２つのガラス基板のうちの一方のガラス基板にのみ配置され、前記複数の電極のうち、一の電極に他の電極とは異なる電圧を印加することにより、パララックスバリアを形成する、ことを特徴とする液晶パララックスバリアである。
【００１９】
また、本発明の液晶パララックスバリアは、前記複数の電極は、同一平面上にある第１電極及び第２電極であり、前記第１電極及び前記第２電極の各々は、分岐し、前記第１電極及び前記第２電極のうち、一方の電極の前記分岐の末端を有する枝部は、他方の電極の前記分岐の末端を有する２つの枝部の間に入るように、交互に配置される、とすることができる。
【００２０】
また、本発明の液晶パララックスバリアは、前記分岐の末端を有する枝部は屈曲している、とすることができる。
【００２１】
また、本発明の液晶パララックスバリアは、前記複数の電極は、互いに異なる平面上にある、第１電極及び第２電極であり、前記第１電極は、矩形の平面を形成し、前記第２電極は、分岐し、前記分岐の末端を有する複数の枝部は、前記矩形の平面の一辺と平行に、前記矩形の平面を横切るように延びている、とすることができる。
【００２２】
また、本発明の液晶パララックスバリアは、前記複数の電極は、互いに異なる平面上にある、第１電極、第２電極及び第３電極であり、前記第１電極は、矩形の平面を形成し、前記第２電極は、分岐し、前記分岐の末端を有する複数の枝部は、前記矩形の平面の一辺と平行に、前記矩形の平面を横切るように延び、前記第３電極は、分岐し、前記分岐の末端を有する複数の枝部は、前記第２電極の前記複数の枝部とは垂直に、前記矩形の平面を横切るように延びている、とすることができる。
【００２３】
また、本発明の液晶パララックスバリアは、前記複数の電極は、同一平面上にある第１電極及び第２電極、並びに、前記第１電極及び前記第２電極のある平面とは異なる平面で、同一平面上にある第３電極及び第４電極であり、前記第１電極は、分岐し、前記分岐の末端を有する複数の枝部は、一方向に延び、前記第２電極は、分岐し、前記分岐の末端を有する複数の枝部は、前記一方向と平行で、異なる向きに延び、前記第１電極及び前記第２電極のうち、一方の電極の前記分岐の末端を有する枝部は、他方の電極の前記分岐の末端を有する２つの枝部の間に入るように延び、前記第３電極は、分岐し、前記分岐の末端を有する複数の枝部は、前記一方向と異なる方向に延び、前記第４電極は、分岐し、前記分岐の末端を有する複数の枝部は、前記一方向と異なる方向と平行で、異なる向きに延び、前記第３電極及び前記第４電極のうち、一方の電極の前記分岐の末端を有する枝部は、他方の電極の前記分岐の末端を有する２つの枝部の間に入るように延びている、とすることができる。
【００２４】
本発明の表示装置は、上述の液晶パララックスバリアのうちのいずれかの液晶パララックスバリアと、前記液晶パララックスバリアと平行に表示面が配置された表示部と、を備える表示装置である。
【００２５】
本発明の液晶表示装置は、上述の液晶パララックスバリアのうちのいずれかの液晶パララックスバリアと、前記液晶パララックスバリアと平行に配置された液晶パネルと、前記液晶パネル及び前記液晶パララックスバリアに対して光を照射するバックライトと、を備える液晶表示装置である。
【図面の簡単な説明】
【００２６】
【図１】本発明の一実施形態に係る液晶表示装置を概略的に示す図である。
【図２】図１の液晶モジュールの構成を示す図である。
【図３】図２の電極基板の電極の配置を概略的に示す図である。
【図４】図３の電極基板の線Ａ−Ａの位置における液晶パララックスバリアパネルの断面を示す図である。
【図５】第１電極に所定の電圧が印加された際の表示領域の様子を示す図である。
【図６】第１実施形態の変形例である電極基板の電極の配置を概略的に示す図である。
【図７】本発明の一実施形態に係る液晶表示装置における、液晶パラバックスバリアの電極基板の電極の配置を概略的に示す図である。
【図８】図７の電極基板の線Ｂ−Ｂの位置における液晶パララックスバリアパネルの断面を示す図である。
【図９】本発明の一実施形態に係る液晶表示装置における、液晶パラバックスバリアの電極基板の電極の配置を概略的に示す図である。
【図１０】図９の電極基板の線Ｃ−Ｃの位置における液晶パララックスバリアパネルの断面を示す図である。
【図１１】本発明の一実施形態に係る液晶表示装置における、液晶モジュールの構成を示す図である。
【図１２】本発明の一実施形態に係る液晶表示装置における、液晶モジュールの構成を示す図である。
【図１３】本発明の一実施形態に係るプラズマ表示装置を示す図である。
【発明を実施するための形態】
【００２７】
以下、本発明の第１実施形態乃至第６実施形態について、図面を参照しつつ説明する。なお、図面において、同一又は同等の要素には同一の符号を付し、重複する説明を省略する。
【００２８】
［第１実施形態］
図１には、本発明の一実施形態に係る液晶表示装置１００が概略的に示されている。この図に示されるように、液晶表示装置１００は、上フレーム１１０及び下フレーム１２０に挟まれるように固定された液晶モジュール１３０、及び不図示の電源装置等から構成されている。液晶表示装置全体を液晶モジュールと称することもある。
【００２９】
図２には、液晶モジュール１３０の構成が示されている。液晶モジュール１３０は、後述する画素電極に電圧を印加することにより、スリットの入ったパララックスバリアとして機能する液晶パララックスバリアパネル２００と、映像信号が入力されることにより、映像信号の画像に応じた光を透過させる液晶パネル１３１と、液晶パネル１３１及び液晶パララックスバリアパネル２００に光を照射して液晶表示面に画像を表示させるバックライト１３２と、から構成されている。バックライト１３２は、例えば、冷陰極管（ＣＦＬ
）や発光ダイオード（ＬＥＤ）からなる光源と、反射シートや拡散シート等からなる光学シートと、導光板等で構成されている。ここで、液晶パララックスバリアパネル２００は、電極を有する電極基板２１０と、不図示の液晶組成物と、液晶組成物を電極基板２１０との間で封止する封止基板２０４と、を有している。尚、液晶表示装置全体を液晶モジュールと称することもあるが、本明細書においては上記で説明した図２に示す構成を液晶モジュールと称する。
【００３０】
図３には、電極基板２１０の電極の配置が概略的に示されている。図３に示されるように、電極基板２１０は、それぞれ複数の段階で分岐した第１電極２１１と第２電極２１２とを備えており、これらの電極のうち、表示領域２１５において、一方の電極の分岐の末端を有する枝部は、他方の電極の分岐の２つの末端を有する２つの枝部の間に入るように、交互に配置されている。第１電極２１１及び第２電極２１２は、パララックスバリアのスリットを形成しないときは、同一の電位を有しており、パララックスバリアのスリットを形成する際には、第１電極２１１に前記同一の電位とは異なる所定の電圧が印加される。なお、図３では、図が煩雑になるのを避けるため、スリットの数を減らし、簡略化して示している。
【００３１】
図４には、図３の電極基板２１０の線Ａ−Ａの位置における液晶パララックスバリアパネル２００の断面図が示されている。図４に示されるように、液晶パララックスバリアパネル２００は、電極基板２１０、液晶層２０２、及び封止基板２０４が順に重ねられた構造を有している。電極基板２１０は、ガラス基板２１６と、第１電極２１１（枝部ａ）と、第１電極２１１と同一層に配置された第２電極２１２（枝部ｂ）と、第１電極２１１に電圧が印加されていないときに液晶組成物の分子を所定の方向に配向させる配向膜２１７とを有している。一方、封止基板２０４は、配向膜２０６と、ガラス基板２０７と、偏光板２０８とを有しているが、電極は配置されていない。
【００３２】
液晶パララックスバリアパネル２００は、第１電極２１１に所定の電圧が印加されると、第１電極２１１の末端の有する枝部ａと、第２電極２１２の末端の有する枝部ｂとの間に電界を形成する。そして、この電界が、これらの枝部ａ，ｂの上層にある液晶組成物の分子の配向を変え、バックライト１３２からの光を遮ることにより、スリットを形成し、パララックスバリアとして機能する。図５には、第１電極２１１に所定の電圧が印加された際の表示領域２１５の様子が示されている。黒い部分はバックライト１３２からの光が遮られる部分を示している。
【００３３】
したがって、第１実施形態の液晶パララックスバリアパネル２００では、電極を片方の基板にのみ設けているため、より安価に液晶パララックスバリアパネル及びこれを使用した液晶表示装置を製造することができる。
【００３４】
図６には、第１実施形態の変形例である電極基板２５０の電極の配置が概略的に示されている。電極基板２５０は、上述の第１実施形態と同様に、それぞれ複数の段階で分岐した第１電極２５１と第２電極２５２とを備えており、これらの電極のうち、表示領域２１５において、一方の電極の分岐の末端を有する枝部は、他方の電極の前記分岐の末端を有する２つの枝部の間に入るように、交互に配置されている。本変形例では、第１電極２５１の分岐の末端を有する枝部ｃ及び第２電極２５２の分岐の末端を有する枝部ｄは、途中で折り曲げられ、斜めに伸びる形状をしている。この電極の形状は、スリットを形成した際の遮光の品質を向上するためのものであり、偏光膜の偏光方向や配向膜のラビング方向等の影響を考慮して、適切な形状を定めることができる。
【００３５】
したがって、この第１実施形態の変形例の電極基板２５０を使用した液晶パララックスバリアにおいても、電極を片方の基板にのみ設けているため、より安価に液晶パララックスバリアパネル及びこれを使用した液晶表示装置を製造することができる。
【００３６】
［第２実施形態］
図７には、本発明の一実施形態に係る液晶表示装置における、液晶パラバックスバリアの電極基板３１０の電極の配置が概略的に示されている。なお、この電極基板３１０が使用される液晶表示装置の構成は、第１実施形態における図１の液晶表示装置１００の構成及び図２の液晶モジュール１３０の構成と同様であるため、説明を省略する。
【００３７】
図７に示されるように、電極基板３１０は、分岐の末端を有する枝部ｅが図面の横方向に伸びる第１電極３１１と、分岐の末端を有する枝部ｆが図面の縦方向に延びる第２電極３１２と、表示領域面全体に広がる第３電極３１３とを備えており、各電極は異なる層に配置されている。第１電極３１１、第２電極３１２及び第３電極３１３は、パララックスバリアのスリットを形成しないときは、同一の電位を有しており、横方向のスリットを形成する際には第１電極３１１のみに所定の電圧を印加し、第１電極３１１と第３電極３１３との間に電界を形成させる。また、縦方向のスリットを形成する際には第２電極３１２のみに所定の電圧を印加し、第２電極３１２と第３電極３１３との間に電界を形成させる。なお、図７では、図が煩雑になるのを避けるため、スリットの数を減らし、簡略化して示している。
【００３８】
図８には、図７の電極基板３１０の線Ｂ−Ｂの位置における液晶パララックスバリアパネル３００の断面図が示されている。図８に示されるように、液晶パララックスバリアパネル３００は、電極基板３１０を除いて、第１実施形態と同様の構成となっている。電極基板３１０は、ガラス基板２１６と、第１電極３１１（枝部ｅ）と、第１電極３１１と異なる層に配置された第２電極３１２（枝部ｆ）と、第１電極３１１及び第２電極３１２の両方と異なる層に配置された第３電極３１３と、第１電極３１１、第２電極３１２及び第３電極３１３を互いに絶縁する絶縁層３０５と、第１電極３１１又は第２電極３１２に電圧が印加されていないときに液晶組成物の分子の配向させる配向膜２１７とを有している。
【００３９】
液晶パララックスバリアパネル３００は、第１電極３１１に所定の電圧が印加されると、第１電極３１１の横方向に延びる枝部ｅと、第３電極３１３との間に電界を形成する。そして、この電界が、これらの枝部ｅ，ｆの上層にある液晶組成物の分子の配向を変え、バックライト１３２からの光を遮ることにより、横方向スリットを形成し、パララックスバリアとして機能する。また、第２電極３１２に所定の電圧が印加されると、第２電極３１２の縦方向に延びる枝部ｆと、第３電極３１３との間に電界を形成する。そして、この電界が、これらの枝部ｅ，ｆの上層にある液晶組成物の分子配向を変え、バックライト１３２からの光を遮ることにより、縦方向スリットを形成し、パララックスバリアとして機能する。
【００４０】
なお、本実施形態では、第１電極３１１、第２電極３１２及び第３電極３１３の３つの電極を用いることとしたが、第１電極３１１及び第２電極３１２のいずれかが欠けている構成であっても、一方向のみのスリットを形成するパララックスバリアとして使用することができ、このような構成であってもよい。
【００４１】
したがって、本実施形態の液晶パララックスバリアパネル３００では、電極を片方の基板にのみ設けているため、より安価に液晶パララックスバリアパネル及びこれを使用した液晶表示装置を製造することができる。
【００４２】
［第３実施形態］
図９には、本発明の一実施形態に係る液晶表示装置における、液晶パラバックスバリアの電極基板４１０の電極の配置が概略的に示されている。なお、この電極基板４１０が使用される液晶表示装置の構成は、第１実施形態における図１の液晶表示装置１００の構成及び図２の液晶モジュール１３０の構成と同様であるため、説明を省略する。
【００４３】
図９に示されるように、電極基板４１０は、分岐の末端を有する枝部ｇ及び枝部ｈが図面の横方向に、互いに対向して伸びる第１電極４１１及び第２電極４１２と、分岐の末端を有する枝部ｉ及び枝部ｊが図面の縦方向に、互いに対向して延びる第３電極４１３及び第４電極４１４とを備えており、第１電極４１１及び第２電極４１２は同一の層に配置され、第３電極４１３及び第４電極４１４は、第１電極４１１及び第２電極４１２が配置された層とは異なる層であって、同一の層に配置されている。
【００４４】
第１電極４１１、第２電極４１２、第３電極４１３及び第４電極４１４は、パララックスバリアのスリットを形成しないときは、同一の電位を有しており、横方向のスリットを形成する際には第１電極４１１のみに所定の電圧を印加し、第１電極４１１と、第３電極４１３及び第４電極４１４との間に電界を形成させる。また、縦方向のスリットを形成する際には第３電極４１３のみに所定の電圧を印加し、第３電極４１３と、第１電極４１１及び第２電極４１２との間に電界を形成させる。なお、図９では、図が煩雑になるのを避けるため、スリットの数を減らし、簡略化して示している。
【００４５】
図１０には、図９の電極基板４１０の線Ｃ−Ｃの位置における液晶パララックスバリアパネル４００の断面図が示されている。図９に示されるように、液晶パララックスバリアパネル４００は、電極基板４１０を除いて、第１実施形態と同様の構成となっている。電極基板４１０は、ガラス基板２１６と、上述したように、同一の層に形成された第１電極４１１（枝部ｇ）及び第２電極４１２（枝部ｈ）と、第１電極４１１及び第２電極４１２が形成された層とは異なる層であって、同一の層に形成された第３電極４１３（不図示）
及び第４電極４１４と、第１電極４１１及び第２電極４１２が形成された層と、第３電極４１３及び第４電極４１４が形成された層とを絶縁する絶縁層４０５と、第１電極４１１又は第３電極４１３に電圧が印加されていないときに液晶組成物の分子の配向させる配向膜２１７とを有している。
【００４６】
液晶パララックスバリアパネル４００は、第１電極４１１に所定の電圧が印加されると、第１電極４１１の横方向に延びる枝部ｈと、第３電極４１３及び第４電極４１４との間に電界を形成する。そして、この電界が、これらの枝部ｈの上層にある液晶組成物の分子の配向を変え、バックライト１３２からの光を遮ることにより、スリットを形成し、パララックスバリアとして機能する。また、第３電極４１３に所定の電圧が印加されると、第３電極４１３の縦方向に延びる枝部ｊと、第１電極４１１及び第２電極４１２との間に電界を形成する。そして、この電界が、これらの枝部ｊの上層にある液晶組成物の分子の配向を変え、バックライト１３２からの光を遮ることにより、スリットを形成し、パララックスバリアとして機能する。
【００４７】
したがって、本実施形態の液晶パララックスバリアパネル４００、及びこれを使用した液晶表示装置では、電極を片方の基板にのみ設けているため、より安価にこれらを製造することができる。
【００４８】
［第４実施形態］
図１１には、本発明の一実施形態に係る液晶表示装置における、液晶モジュール１５０の構成が示されている。なお、この液晶モジュール１５０が使用される液晶表示装置の構成は、第１実施形態における図１の液晶表示装置１００の構成と同様であるため、説明を省略する。この液晶モジュール１５０は、液晶パララックスバリアパネル５００を備えており、液晶パララックスバリアパネル５００は、図２の電極基板２１０と封止基板２０４とを入れ替えた構成である。
【００４９】
このような構成であっても、スリットを形成することができる。また、第１実施形態と同様に、第４実施形態の液晶パララックスバリアパネル５００においても、電極を片方の基板にのみ設けているため、より安価に液晶パララックスバリアパネル及びこれを使用した液晶表示装置を製造することができる。
【００５０】
［第５実施形態］
図１２には、本発明の一実施形態に係る液晶表示装置における、液晶モジュール１７０の構成が示されている。なお、この液晶モジュール１７０が使用される液晶表示装置の構成は、第１実施形態における図１の液晶表示装置１００の構成と同様であるため、説明を省略する。この液晶モジュール１７０は、第１実施形態における液晶パララックスバリアパネル２００と液晶パネル１３１とを入れ替えた構成をしている。このような構成であっても、スリット介した光による３次元の映像を観察することができる。また、第１実施形態と同様に、電極を片方の基板にのみ設けているため、より安価に液晶パララックスバリアパネル及びこれを使用した液晶表示装置を製造することができる。
【００５１】
［第６実施形態］
図１３には、本発明の一実施形態に係るプラズマ表示装置６００が示されている。上述の第１実施形態の液晶パララックスバリアパネル２００と、放電による発光により表示を行う公知のプラズマパネル６１０とにより構成されている。このような構成であっても、３次元の映像を観察することができ、また、第１実施形態と同様に、電極を片方の基板にのみ設けているため、より安価に液晶パララックスバリアパネル及びこれを使用したプラズマ表示装置を製造することができる。
【００５２】
なお、上述の各実施形態においては、液晶パネル又はプラズマパネルを用いることとしたが、有機ＥＬ（Electro-luminescent）パネル、ＣＲＴ（Cathode Ray Tube）等その他の表示部を用いた表示装置に適用することができる。
【００５３】
また、上述の各実施形態に記載した電極の形状及び配置は、一例であり、本発明は片側の基板にのみ電極を配置した液晶パララックスバリアに適用される。
【符号の説明】
【００５４】
１００  液晶表示装置、１１０  上フレーム、１２０  下フレーム、１３０，１５０，
１７０  液晶モジュール、１３１  液晶パネル、１３２  バックライト、２００，３００
，４００，５００  液晶パララックスバリアパネル、２０２  液晶層、２０４  封止基板、２０６，２１７  配向膜、２０７，２１６  ガラス基板、２０８  偏光板、２１０，２５０，３１０，４１０  電極基板、２１１，２５１，３１１，４１１  第１電極、２１２
，２５２，３１２，４１２  第２電極、２１５  表示領域、３０５，４０５  絶縁層、３１３，４１３  第３電極、４１４  第４電極、６００  プラズマ表示装置、６１０  プラズマパネル。
【図１】
2014132347.tif 000003
【図２】
2014132347.tif 000004
【図３】
2014132347.tif 000005
【図４】
2014132347.tif 000006
【図５】
2014132347.tif 000007
【図６】
2014132347.tif 000008
【図７】
2014132347.tif 000009
【図８】
2014132347.tif 000010
【図９】
2014132347.tif 000011
【図１０】
2014132347.tif 000012
【図１１】
2014132347.tif 000013
【図１２】
2014132347.tif 000014
【図１３】
2014132347.tif 000015